(57)【要約】【課題】構造や加工が複雑とならず、振動板が不透明なスピーカユニットを使用しても、音と光による演出が可能なスピーカ装置を提供する。【解決手段】光を反射または透過する複数の反射透過片２７をスピーカユニット１３の振動板１５に対向して設け、ライト３１からこれら複数の反射透過片２７に対して光を照射する。スピーカユニット１３に外部から音声信号を入力すると、その音声信号に応じて振動板１５が振動し、その振動が空気を媒体として反射透過片２７に伝わり、反射透過片２７は振動する。反射透過片２７は振動しながらライト３１からの光を反射したり透過したりするので、ライト３１からの光は反射透過片２７により乱反射されたり、透過する光が振動に応じて変化したりする。これにより、構造や加工が複雑とならず、振動板が不透明なスピーカユニットを使用しても、音と光による演出が可能となる。【選択図】図１
2009272721.tif 000002
【特許請求の範囲】
【請求項１】
外部から入力された音声信号に応じて振動する振動板を備えたスピーカユニットと、
前記スピーカユニットが取り付けられたエンクロージャと、
前記スピーカユニットの振動板に対向して振動可能に設けられ、光を反射または透過する複数の反射透過片と、
前記反射透過片に光を照射する光源と、
を備えたスピーカ装置。
【請求項２】
外部から入力された電気信号に応じて振動する振動板を備えたスピーカユニットと、
前記スピーカユニットが取り付けられたエンクロージャと、
前記振動板の振動により生成される空気流を前記エンクロージャの外部へ導くポートと、
前記ポートに対向して振動可能に設けられ、光を反射または透過する複数の反射透過片と、
前記反射透過片に光を照射する光源と、
を備えたスピーカ装置。
【請求項３】
外部から入力された電気信号に応じて振動する振動板を備えたスピーカユニットと、
前記スピーカユニットが取り付けられたエンクロージャと、
前記振動板の振動により生成される空気流を前記エンクロージャの外部へ導くポートと、
壁面が光を透過する材質により形成され、空気の流入口が前記ポートに接続され、光を反射または透過し前記ポートから流入する空気により散乱する重量の複数の反射透過小片を収納する収納ケースと、
前記収納ケースに光を照射する光源と、
を備えたスピーカ装置。
【発明の詳細な説明】
【技術分野】
【０００１】
この発明は、音と光による演出が可能なスピーカ装置に関する。
【背景技術】
【０００２】
従来、振動板に光を照射し、その光を振動板で反射させたり透過させたりすることで、音と光による演出効果を出すことができるスピーカがあった（例えば、特許文献１，２参照。）。
【特許文献１】特開２００４−７３０８号公報
【特許文献２】特開２００５−３２３１４６号公報
【発明の開示】
【発明が解決しようとする課題】
【０００３】
しかしながら、従来のスピーカでは、ダストキャップの下方や、振動板の背面側に発光ダイオードや導光体を設けなければならず、構造や加工が複雑になり、製造コストが増加するという問題があった。また、振動板に光を透過させる場合には、ポリプロピレン樹脂等の透明な材料を振動板に使用したスピーカユニットを使用する必要があり、従来の不透明な材料を振動板に使用したスピーカには、この発明を適用できないという問題があった。
【０００４】
そこで、本発明は、構造や加工が複雑とならず、振動板が不透明なスピーカユニットを使用しても、音と光による演出が可能なスピーカ装置を提供することを目的とする。
【課題を解決するための手段】
【０００５】
この発明は、上記の課題を解決するための手段として、以下の構成を備えている。
【０００６】
（１）外部から入力された音声信号に応じて振動する振動板を備えたスピーカユニットと、
前記スピーカユニットが取り付けられたエンクロージャと、
前記スピーカユニットの振動板に対向して振動可能に設けられ、光を反射または透過する複数の反射透過片と、
前記反射透過片に光を照射する光源と、
を備えたことを特徴とする。
【０００７】
この構成においては、光を反射する反射透過片や光を透過する反射透過片を複数個、スピーカユニットの振動板に対向して設け、光源からこれら複数の反射透過片に対して光を照射する。スピーカユニットに外部から音声信号を入力すると、その音声信号に応じて振動板が振動し、その振動が空気を媒体として反射透過片に伝わり、反射透過片は振動する。反射透過片は振動しながら光源からの光を反射したり透過したりするので、光源からの光は振動板の振動に応じて、すなわちスピーカユニットから放音される音声の音圧や周波数に応じて、方向を変化させながら様々な方向に照射される。したがって、構造や加工が複雑とならず、振動板が不透明なスピーカユニットを使用しても、音と光による演出が可能となる。また、既存のスピーカ装置を本発明のスピーカ装置に加工することも容易である。
【０００８】
（２）外部から入力された電気信号に応じて振動する振動板を備えたスピーカユニットと、
前記スピーカユニットが取り付けられたエンクロージャと、
前記振動板の振動により生成される空気流を前記エンクロージャの外部へ導くポートと、
前記ポートに対向して振動可能に設けられ、光を反射または透過する複数の反射透過片と、
前記反射透過片に光を照射する光源と、
を備えたことを特徴とする。
【０００９】
この構成においては、光を反射する反射透過片や光を透過する反射透過片を複数個、ポートに対向して設け、光源からこれら複数の反射透過片に対して光を照射する。スピーカユニットに外部から音声信号を入力すると、その音声信号に応じて振動板が振動し、その振動により生成される空気流がポートによりエンクロージャの外部へ導かれるので、この空気流により反射透過片は振動する。反射透過片は振動しながら光源からの光を反射したり透過したりするので、光源からの光は振動板の振動に応じて、すなわちスピーカユニットから放音される音声の音圧や周波数に応じて、方向を変化させながら様々な方向に照射される。したがって、構造や加工が複雑とならず、振動板が不透明なスピーカユニットを使用しても、音と光による演出が可能となる。
【００１０】
（３）外部から入力された電気信号に応じて振動する振動板を備えたスピーカユニットと、
前記スピーカユニットが取り付けられたエンクロージャと、
前記振動板の振動により生成される空気流を前記エンクロージャの外部へ導くポートと、
壁面が光を透過する材質により形成され、空気の流入口が前記ポートに接続され、光を反射または透過し前記ポートから流入する空気により散乱する重量の複数の反射透過小片を収納する収納ケースと、
前記収納ケースに光を照射する光源と、
を備えたことを特徴とする。
【００１１】
この構成においては、複数の反射透過小片を収納する収納ケースの空気流入口をポートに接続する。反射透過小片としては、光を反射したり光を透過したりする材質のもので、ポートから流入する空気の圧力により収納ケース内を散乱する重量のもの（例えば、アルミ箔やセロファンを細かく裁断したもの等）を収納ケースに入れておき、光源からこの収納ケースに光を照射する。スピーカユニットに外部から音声信号を入力すると、その音声信号に応じて振動板が振動し、その振動により生成される空気流がポートによりエンクロージャの外部へ導かれ、この空気流が収納ケースに導入されるので、反射透過小片は散乱する。したがって、反射透過小片は散乱しながら光源からの光を反射したり透過したりするので、光源からの光は反射透過小片により乱反射されたり、透過光が散乱状態に応じて変化したりする。これにより、構造や加工が複雑とならず、振動板が不透明なスピーカユニットを使用しても、音と光による演出が可能となる。
【発明の効果】
【００１２】
この発明によれば、スピーカユニットの振動板の振動に応じて、光を照射された反射透過片や反射透過小片が振動または散乱するように構成している。そのため、反射透過片や反射透過小片が光を乱反射したり透過光の方向が変化したりして様々な方向に光を照射し、また、スピーカユニットから放音される音の大きさや周波数に応じて光の照射方向が変化させることができる。これにより、スピーカユニットから放音させる音に応じた光による演出ができる。また、構造や加工が複雑とならず、振動板が不透明なスピーカユニットを使用しても、音と光による演出ができる。
【発明を実施するための最良の形態】
【００１３】
以下、本発明の第１実施形態に係るスピーカ装置の詳細について説明する。図１は、本発明の第１実施形態に係るスピーカ装置の概略の構成図である。図１（Ａ）は、スピーカユニットの振動板の振動により反射ユニットを振動させる構成を示す側面断面図及び正面図である。図１（Ｂ）は、ポートからの空気流により反射ユニットを振動させる構成を示す背面図及び側面断面図である。図１（Ｃ）は、スピーカユニットの振動板の振動、及びポートからの空気流により反射ユニットを振動させる構成を示す側面断面図である。
【００１４】
図１（Ａ）に示すように、スピーカ装置１は、エンクロージャ１１の前面側にスピーカユニット１３が取り付けられている。また、スピーカユニット１３の前方において、スピーカユニット１３の振動板１５に対向して、振動ユニット２１が設けられている。
【００１５】
振動ユニット２１は、エンクロージャ１１の上面から前方側に延出する支持板２３に一端が接続され他端がフリーである複数の透明な糸２５に、それぞれ複数の反射透過片２７を任意の間隔で取り付けたものである。振動ユニット２１は、暖簾やモビールのように、複数の反射透過片２７がスピーカユニット１３の前方に振動可能につり下げられている。反射透過片２７としては、光を反射するもの、光を透過するもの、光を分光するもの等、光により演出を行うことができる材質ものや表面加工したものを使用しており、これらは特性の異なるものがランダムに配列されている。反射透過片２７としては、例えば、金属片や着色したフィルムやプリズム等を用いると良い。
【００１６】
また、エンクロージャ１１の前面側には、振動ユニット２１の下方にライト（光源）３１が取り付けられている。このライト３１は、振動ユニット２１の複数の反射透過片２７に対して光を照射する。なお、ライト３１を所定の時間間隔で発光色が変化するものを使用することで、光による演出効果をさらに向上させることができる。
【００１７】
スピーカ装置１では、不図示の信号線に音声信号（電気信号）が入力されると、スピーカユニット１３の振動板１５が振動して音声を放音する。振動板１５の振動（音圧）は、空気を媒体として振動ユニット２１の各反射透過片２７に伝わり、各反射透過片２７は振動する。このとき、ライト３１は、各反射透過片２７に対して下方から光を照射しているので、各反射透過片２７により光が乱反射したり、光を透過する方向が変化したりする。また、各反射透過片２７の振動状態は、スピーカユニット１３が放音する音声の音量や周波数により異なる。したがって、スピーカユニット１３から放音する音声に応じて、光の動きを変化させるという演出ができる。
【００１８】
また、振動ユニット２１の下方からライト３１により光を照射するので、反射透過片２７を透過した光や反射した光を部屋の天井や周囲の壁に照射することができ、部屋全体の雰囲気を盛り上げることができる。
【００１９】
なお、光の照射範囲を限定する場合には、ライト３１を振動ユニット２１の下方ではなく側方等、任意の位置に移動させると良い。また、ライト３１は１個に限るものではなく複数個設けることも当然可能である。
【００２０】
なお、振動ユニット２１は、暖簾やモビールのような形状に限るものではなく、振動板１５の振動が空気を介して複数の反射透過片２７に伝わる構成であれば他の形状であってももちろん良い。例えば、スピーカユニット１３の前面に複数の反射透過片２７を取り付けた網（透明が好適）を設けるようにしても良い。この場合には、スピーカユニット１３から放音される音声により、網全体が振動するので、ライト３１からの光により音声の音量や周波数に応じた演出ができる。
【００２１】
次に、エンクロージャにポートを設けたスピーカ装置を用いる場合について説明する。図１（Ｂ）に示すスピーカ装置３は、エンクロージャ１２の前面側にスピーカユニット１４が取り付けられている。また、スピーカユニット１４の後方において、スピーカユニット１４の取り付け位置よりも低い位置にポート１７が設けられている。ポート１７は、スピーカユニット１４の振動板１６の振動により生成される空気流をエンクロージャ１２の外部へ導くので、ポート１７の前方には空気流が発生する。
【００２２】
本発明では、この空気流を利用して振動ユニットを振動させる。すなわち、スピーカ装置３のエンクロージャ１２の上面から後方側に延出する支持板２４を設けて、この支持板２４に振動ユニット２２を取り付ける。振動ユニット２２は、振動ユニット２１と同様の構成であり、一端が支持板２４に接続され他端がフリーである複数の透明な糸２６に、それぞれ複数の反射透過片２８を任意の間隔で取り付けたものである。振動ユニット２２は、暖簾やモビールのように、複数の反射透過片２８がポート１７に対向して、その前方に振動可能につり下げられている。反射透過片２８には、反射透過片２７と同様に光を反射したり透過したり分光したりするものを使用する。
【００２３】
エンクロージャの前面側または後面側にポートを設けた構成のスピーカ装置の場合には、上記のようにポートに対向する位置に振動ユニットを設けると良い。
【００２４】
図１（Ｂ）に示すように、ポート１７の前方に振動ユニット２２を設けることで、ポート１７からエンクロージャ１２の外部へ導かれる空気流により、複数の反射透過片２８を振動させることができる。このとき、図１（Ａ）に示した構成と同様に、複数の反射透過片２８に対して光を照射するライト３２を設けておくことで、この光が反射透過片２８により乱反射したり、放射方向が変化したりする。また、ポートから外部へ導かれる空気流は、スピーカユニット１４が放音する音声の音量や周波数により異なる。したがって、スピーカユニット１４から放音する音声に応じて光の放射方向や変化の度合いに強弱をつけた演出ができる。
【００２５】
なお、図１（Ｂ）には、ポート１７に対向する位置に振動ユニット２２を設けた場合を説明したが、これに限らず、図１（Ｃ）に示すスピーカ装置４のように、さらにスピーカユニット１４に対向する位置に振動ユニット２１を設けるようにしても良い。このように構成することで、さらに音と光による演出効果をアップさせることができる。
【００２６】
次に、本発明の第２実施形態に係るスピーカ装置の詳細について説明する。図２は、本発明の第２実施形態に係るスピーカ装置の概略の構成図である。図２（Ａ）は、ポートからの空気流により収納ケース内の反射透過小片を散乱させる構成を示す背面図及び側面断面図である。図２（Ｂ）は、図２（Ａ）に示した構成を一部変更した構成を示す側面断面図である。図２（Ｃ）は、図２（Ａ）に示した構成に反射ユニットを追加した構成を示す側面断面図である。
【００２７】
図２（Ａ）に示すように、スピーカ装置５は、エンクロージャ１２の前面側にスピーカユニット１３が取り付けられている。また、エンクロージャ１２の後方には、スピーカユニット１３の振動板１５の振動により生成される空気流をエンクロージャ１２の外部へ導くポート１７が形成されている。また、エンクロージャ１２の後方にはポート１７の上側に、収納ケース４１が取り付けられている。収納ケース４１は、その壁面が透明な材料で形成されており、粒子状の反射透過片を収納している。また、収納ケース４１の空気流入口４３は、ポート１７の一部と接続されており、ポート１７から外部へ導かれる空気流の一部が収納ケース４１内に導かれる。収納ケース４１に収納する反射透過小片２９は、光を反射または透過する素材のものやそのような特性を有するように加工したものを使用する。また、反射透過小片２９としては、収納ケース４１にポート１７からの空気流が導入されると、収納ケース４１内を散乱する（舞い散る）ように、小片化して重量を軽量化したものを使用する。例えば、アルミ箔やセロファンを細かく裁断したもの等を用いる良い。
【００２８】
収納ケース４１とポート１７を接続する空気流入口４３には反射透過小片２９が収納ケース４１の外部へ出ないように、反射透過小片２９よりも細かい目の網（不図示）が取り付けられている。
【００２９】
また、図２（Ａ）に示すように、収納ケース４１の下方から収納ケース４１内の複数の反射透過小片２９に対して光を照射するライト３２を設けておく。
【００３０】
スピーカ装置５では、不図示の信号線から電気信号（音声信号）が入力されると、スピーカユニット１４の振動板１６が振動して音声を放音する。スピーカユニット１４の振動板１６の振動により生成される空気流の一部がエンクロージャ１２の外部へ導くポート１７から、空気流入口４３を通過して収納ケース４１内に導かれる。これにより、収納ケース４１内の複数の反射透過小片２９は散乱し、ライト３２から照射された光を反射したり透過したりするので、ポート１７から導かれる空気量に応じて、反射透過小片２９の散乱状態が変化する。また、ポート１７から空気流入口４３に導かれる空気量は、スピーカユニット１４が放音する音声の音量や周波数により異なる。したがって、スピーカユニット１４から放音する音声に応じて、各反射透過小片２９の散乱状態が変化させることができ、音に応じて光の演出を変化させることができる。
【００３１】
なお、収納ケース４１は、空気流入口４３がポート１７の一部に接続されたものに限るものではなく、例えば図２（Ｂ）に示すスピーカ装置６のように、収納ケース４１の空気流入口４３がポート１７全体と接続された構成であっても良い。なお、このように構成する場合には、収納ケース４１に、反射透過小片２９よりも小さい目の網を取り付けた空気流出口４４を設ける必要がある。
【００３２】
また、図２（Ｃ）に示すスピーカ装置７のように、エンクロージャ１２の後方に収納ケース４１を設けるだけでなく、図１（Ａ）と同様に、スピーカユニット１４の振動板１６に対向して振動ユニット２１を設けることも当然可能である。
【００３３】
なお、図２では、収納ケース４１の下部にライト３２を設けた構成を示したが、収納ケース４１内や他の位置にライト（光源）３２を設けることも当然可能である。
【００３４】
また、本発明は、エンクロージャの背面（後面）側にポートを有するスピーカ装置に限るものではなく、エンクロージャの前面側、すなわちスピーカユニットと同じ側にポートを設けたスピーカ装置にも当然適用できる。
【図面の簡単な説明】
【００３５】
【図１】本発明の第１実施形態に係るスピーカ装置の概略の構成図である。
【図２】本発明の第２実施形態に係るスピーカ装置の概略の構成図である。
【符号の説明】
【００３６】
１，３，５…スピーカ装置    １１，１２…エンクロージャ
１３，１４…スピーカユニット    １５，１６…振動板    １７…ポート
２１，２２…振動ユニット    ２３，２４…支持板    ２５…糸
２７，２８…反射透過片    ２９…反射透過小片    ３１，３２…ライト
４１…収納ケース    ４３…空気流入口    ４４…空気流出口
【図１】
2009272721.tif 000003
【図２】
2009272721.tif 000004